(57)【要約】      （修正有）【課題】ウエスト周りの寸法を無段階に調整可能であって、周囲の物品を傷つけることを防止できる衣服を提供する。【解決手段】衣服は、ウエスト周りの寸法を調整する一対のアジャスタ機構４０を備え、アジャスタ機構は、裾部１３の内側に設けられて一端に開口部４１ａを有する袋部４１と、袋部の内部に配置され、一端部４２ａが固定された伸縮可能な第１ベルト部材４２と、表面に滑り性を有し、一方の端部４３ａが袋部の内部で第１ベルト部材に連結された第２ベルト部材４３と、裾部に取り付けられると共に、固定用挿通孔４４ａを有する固定環４４と、第２ベルト部材の他方の端部に取り付けられると共に、第１挿通孔４５ａ及び第２挿通孔４５ｂを有する移動環４５と、を備え、第２ベルト部材の中間部は、固定用挿通孔に挿通されて折り返され、第１挿通孔及び第２挿通孔に順に挿通されている。【選択図】図３
0003232119.tif 000002
【実用新案登録請求の範囲】
【請求項１】
衣服本体に設けられたアジャスタ機構を有する衣服であって、
前記アジャスタ機構は、前記衣服本体の内側に設けられて身幅方向に延びると共に、一端に開口部を有する袋部と、
前記袋部の内部に配置され、一端部が前記衣服本体に固定された伸縮可能な第１ベルト部材と、
表面に滑り性を有し、一方の端部が前記袋部の内部で前記第１ベルト部材の他端部に連結され、他方の端部が前記袋部から突出する第２ベルト部材と、
前記衣服本体に取り付けられると共に、固定用挿通孔を有する固定環と、
前記第２ベルト部材の他方の端部に取り付けられると共に、第１挿通孔及び第２挿通孔を有する移動環と、を備え、
前記第２ベルト部材の中間部は、前記固定用挿通孔に挿通されて折り返されると共に、前記第１挿通孔及び前記第２挿通孔に順に挿通されている
ことを特徴とする衣服。
【請求項２】
請求項１に記載された衣服において、
前記第１ベルト部材は、伸縮長さに拘らず前記袋部から露出しない長さに設定されている
ことを特徴とする衣服。
【請求項３】
請求項１又は請求項２に記載された衣服において、
前記袋部の前記開口部は、着用者の背中側に向いている
ことを特徴とする衣服。
【考案の詳細な説明】
【技術分野】
【０００１】
本考案は、衣服に関するものである。
【背景技術】
【０００２】
従来、上衣の裾に帯状のベルト部材を設け、ベルト部材を伸縮させたり、折り返し長さを変えたりすることでベルト部材の長さを変更してから固定することで、裾周り（ウエスト周り）の寸法を調整可能な衣服が知られている（例えば、特許文献１〜特許文献３参照）。
【先行技術文献】
【特許文献】
【０００３】
【特許文献１】実用新案登録第３０９４８６２号公報
【特許文献２】実用新案登録第３２１９５０６号公報
【特許文献３】実用新案登録第３１８４３０８号公報
【考案の概要】
【考案が解決しようとする課題】
【０００４】
ところで、ベルト部材が上衣の外側に露出していると、ベルト部材やベルト部材を固定する固定部材が着用者の周囲の物品（例えば、什器や屋内内装品等）に接触し、周囲の物品を傷つけるおそれがある。
【０００５】
また、従来の衣服では、スナップボタン等の固定部材を複数用いてベルト部材を固定している。ここで、固定部材は身幅方向に沿って複数設けられており、ベルト部材の長さは固定部材の位置に応じて段階的に調整される。そのため、裾周り（ウエスト周り）の寸法調整を無段階で行うことができないという問題もあった。
【０００６】
本考案は、上記問題に着目してなされたもので、ウエスト周りの寸法を無段階に調整可能であって、周囲の物品を傷つけることを防止できる衣服を提供することを目的とする。
【課題を解決するための手段】
【０００７】
上記目的を達成するため、本考案は、衣服本体に設けられたアジャスタ機構を有する衣服の考案である。ここで、前記アジャスタ機構は、前記衣服本体の内側に設けられて身幅方向に延びると共に、一端に開口部を有する袋部と、前記袋部の内部に配置され、一端部が前記衣服本体に固定された伸縮可能な第１ベルト部材と、表面に滑り性を有し、一方の端部が前記袋部の内部で前記第１ベルト部材の他端部に連結され、他方の端部が前記袋部から突出する第２ベルト部材と、前記衣服本体に取り付けられると共に、固定用挿通孔を有する固定環と、前記第２ベルト部材の他方の端部に取り付けられると共に、第１挿通孔及び第２挿通孔を有する移動環と、を備えている。そして、前記第２ベルト部材の中間部は、前記固定用挿通孔に挿通されて折り返されると共に、前記第１挿通孔及び前記第２挿通孔に順に挿通されている。
【考案の効果】
【０００８】
これにより、本考案の衣服は、ウエスト周りの寸法を無段階に調整可能であって、周囲の物品を傷つけることを防止できる。
【図面の簡単な説明】
【０００９】
【図１】実施例１の衣服を示す正面図である。
【図２】実施例１の衣服において前面部を開いた状態での正面図である。
【図３】図２におけるＡ部の拡大図である。
【図４】図３におけるＢ−Ｂ断面図である。
【図５】実施例１の衣服においてアジャスタ機構縮小時の要部拡大図である。
【図６】図５におけるＣ−Ｃ断面である。
【図７】実施例１の衣服においてアジャスタ機構縮小時の正面図である。
【考案を実施するための形態】
【００１０】
本考案の衣服を実施するための形態を、図面に示す実施例１に基づいて説明する。なお、以下の説明では、衣服１０を着用する着用者を基準として「上下」「左右」「前後」等の用語を用いる。
【００１１】
実施例１の衣服１０は、着用者が上半身に着る上衣（ジャンパー）である。衣服１０は、図１及び図２に示すように、着用者の胴体の前側（胸部及び腹部）を覆う前面部２０と、着用者の胴体の後側（背中）を覆う背面部３０と、着用者の腕を覆う一対の袖１１、１１と、襟１２と、ウエスト周りの寸法を調整する一対のアジャスタ機構４０、４０と、を有している。
【００１２】
なお、実施例１では、袖１１は着用者の腕を全て覆う長袖であるが、半袖や七分袖、五分袖等であってもよいし、袖１１を設けないベストタイプであってもよい。さらに、袖１１は、胴衣に対して着脱自在であってもよい。また、襟１２は、スタンドタイプであってもよいし、襟１２を設けなくてもよい。
【００１３】
前面部２０は、図１に示すように、身幅方向の中央部から左右に分かれる左前身頃２１及び右前身頃２２と、左前身頃２１と右前身頃２２の間を開閉自在に係止する線ファスナー２３と、を備えている。なお、左前身頃２１及び右前身頃２２は、綿や化繊等で織られた布や不織布等からなる生地によって形成されている。左前身頃２１や右前身頃２２を形成する生地は、伸縮性や難燃性、通気性等の任意の性質を有していてもよい。
【００１４】
なお、前面部２０は、腰ポケットや胸ポケット等、任意の位置に設けられたポケットを有していてもよい。また、前面部２０には、無線機のコード等を通すための貫通孔等を形成してもよい。
【００１５】
背面部３０は、図２に示すように、ヨーク部３１と、後身頃３２と、を有している。なお、後身頃３２は、ここでは複数のパーツを縫い合わせて形成されているが、一枚の生地によって形成してもよい。また、ヨーク部３１と後身頃３２とを、一枚の生地によって形成してもよいし、ヨーク部３１を複数のパーツを縫い合わせて形成してもよい。さらに、ヨーク部３１や後身頃３２を形成する生地は、伸縮性や難燃性、通気性等の任意の性質を有していてもよい。
【００１６】
一対のアジャスタ機構４０は、衣服１０の裾部１３（衣服本体）の内側であって、背面部３０の身幅方向の中心位置を挟み、着用者の脇腹に対向する位置に設けられている。各アジャスタ機構４０は、裾部１３の長さを変更することで、衣服１０のウエスト周り（裾周り）の寸法を調整する。ここで、「衣服１０のウエスト周り」とは、着用者の胴囲の最も細いところを覆う部分の周長である。図１に示すような上衣であれば、衣服１０の下端部である裾部１３の周長が「ウエスト周り」となる。また、例えば、ズボンのような着用者が下半身に着る衣服の場合は、衣服の上端部である履き口の周長が「ウエスト周り」となる。さらに、ツナギ服のような着用者の上衣と下衣が一体の衣服の場合は、着用者の胴囲の最も細いところに対向する位置の周長が「ウエスト周り」となる。
【００１７】
アジャスタ機構４０は、図３に示すように、裾部１３に設けられた袋部４１と、第１ベルト部材４２と、第２ベルト部材４３と、固定環４４と、移動環４５と、固定ベルト部材４６と、を有している。
【００１８】
袋部４１は、裾部１３の内側に設けられ、身幅方向に延びている。袋部４１は、背面部３０の身幅方向中心に向いた一端に開口部４１ａを有している。つまり、開口部４１ａは、着用者の背中側に向いている。また、袋部４１は、ここでは、細長い別布４１ｂの上下端部を裾部１３にそれぞれ縫い付けることで形成されている（図４参照）。
【００１９】
第１ベルト部材４２は、ゴムベルト等の伸縮可能な帯状部材である。第１ベルト部材４２は、図３に示すように、袋部４１の内部に配置されており、一端部４２ａが袋部４１を形成する別布４１ｂと共に裾部１３に縫着により固定されている（図４参照）。また、第１ベルト部材４２は、伸縮長さに拘らず袋部４１から露出しない長さに設定されている。すなわち、第１ベルト部材４２の最大伸長時の長さより、袋部４１の長さ（第１ベルト部材４２の一端部４２ａの縫着位置から開口部４１ａまでの距離）の方が長くなっている。
【００２０】
第２ベルト部材４３は、ナイロンベルトや布帛ベルト（織物ベルト）等の表面に滑り性を有する帯状部材である。なお、第２ベルト部材４３の伸縮性は、第１ベルト部材４２よりも低く、伸縮する必要はない。第２ベルト部材４３は、図３に示すように、一方の端部４３ａが袋部４１に差し込まれ、袋部４１の内部で第１ベルト部材４２の他端部４２ｂに連結されている。また、第２ベルト部材４３の他方の端部４３ｂは、袋部４１から突出し、移動環４５が取り付けられている。
【００２１】
固定環４４は、固定用挿通孔４４ａを有する環状部材である。ここでは、プラスチックや金属によって形成されており、外形が四角形に形成されたいわゆる角環である。なお、固定環４４は、外形がＤ字状に形成されたＤ環や、外形が円形の丸環であってもよい。固定用挿通孔４４ａには、第２ベルト部材４３及び固定ベルト部材４６がそれぞれ挿通されており、各ベルト部材４３、４６が反対側に折り返されることで、第２ベルト部材４３と固定ベルト部材４６とが固定環４４を介して連結される（図４参照）。
【００２２】
移動環４５は、第１挿通孔４５ａ及び第２挿通孔４５ｂを有する環状部材である。ここでは、プラスチックや金属によって形成されており、外形が四角形を呈し、第１挿通孔４５ａと第２挿通孔４５ｂが中央支柱部４５ｃによって区画されている。図４に示すように、第２ベルト部材４３の他方の端部４３ｂは、中央支柱部４５ｃに巻きつけられ、先端が自身に縫い付けられている。これにより、移動環４５は、第２ベルト部材４３の他方の端部４３ｂに取り付けられる。また、第２ベルト部材４３の中間部は、固定環４４の固定用挿通孔４４ａに挿通されて折り返されてから、移動環４５の第１挿通孔４５ａに差し込まれ、中央支柱部４５ｃを乗り越えた後、第２挿通孔４５ｂに差し込まれている。つまり、第２ベルト部材４３の中間部は、固定用挿通孔４４ａに挿通されると共に、第１挿通孔４５ａ及び第２挿通孔４５ｂに順に挿通されている。これにより、移動環４５は、第２ベルト部材４３に沿って移動可能となる。
【００２３】
固定ベルト部材４６は、第２ベルト部材４３と同じ素材で形成された帯状部材である。図４に示すように、固定環４４の固定用挿通孔４４ａに挿通されて折り返されてから、両端が重なった状態で裾部１３に縫着されている。これにより、固定環４４は裾部１３に取り付けられる。
【００２４】
以下、図３〜図７に基づいて、実施例１の衣服１０の作用を説明する。
【００２５】
実施例１の衣服１０では、アジャスタ機構４０を用いて裾部１３の周長である衣服１０のウエスト周りの寸法を調整する。
【００２６】
すなわち、ウエスト周りの寸法を長くするときには、図３に示すように、移動環４５を固定環４４に近づく方向に移動させる。これにより、図４に示すように、第２ベルト部材４３の折り返し長さが短くなり、第１ベルト部材４２の一端部４２ａから固定環４４までの長さが長くなる。なお、「第２ベルト部材４３の折り返し長さ」とは、第２ベルト部材４３を折り返して重なった部分の長さである。
【００２７】
そして、第１ベルト部材４２の一端部４２ａから固定環４４までの長さが長いと、裾部１３の長さと、アジャスタ機構４０の長さ（第１ベルト部材４２の一端部４２ａから固定環４４までの長さ）とをほぼ同等にすることができ、裾部１３にギャザーが寄せられることはない。この結果、ウエスト周りの寸法を長くすることができ、図１に示すようにウエスト周りにゆとりを持たせることができる。
【００２８】
これに対し、ウエスト周りの寸法を短くするときには、図５に示すように、移動環４５を固定環４４から離れる方向に移動させる。これにより、図６に示すように、第２ベルト部材４３の折り返し長さが長くなり、第１ベルト部材４２の一端部４２ａから固定環４４までの長さが短くなる。この状態では、裾部１３の長さに対して、アジャスタ機構４０の長さ（第１ベルト部材４２の一端部４２ａから固定環４４までの長さ）が短くなるので、裾部１３にギャザーが寄せられて、ウエスト周りの寸法を短くすることができる。この結果、図７に示すように、裾部１３を絞って、着用者の体に沿わせることができる。
【００２９】
また、第２ベルト部材４３の折り返し長さは、移動環４５の移動距離に応じて変化する。移動環４５は、第２ベルト部材４３に沿って任意の距離だけ移動させることができるので、ウエスト周りの寸法は無段階に調整可能である。
【００３０】
さらに、アジャスタ機構４０は、裾部１３の内側に設けられている。また、固定環４４には、第２ベルト部材４３及び固定ベルト部材４６が挿通されている。さらに、移動環４５には、第２ベルト部材４３が挿通されている。このため、固定環４４及び移動環４５は、裾部１３に接触した状態で裾部１３の内側に保持される。これにより、プラスチックや金属等の比較的硬い材質で形成された固定環４４や移動環４５が衣服１０の外側に露出しにくく、衣服１０の着用時に、アジャスタ機構４０によって周囲の物品を傷つけることを防止できる。
【００３１】
また、アジャスタ機構４０は、伸縮性を有する第１ベルト部材４２と、表面に滑り性を有する第２ベルト部材４３と、を備えている。このため、第１ベルト部材４２が伸縮することでも、アジャスタ機構４０の長さ（第１ベルト部材４２の一端部４２ａから固定環４４までの長さ）が変化する。これにより、ウエスト周りの寸法をさらに適切に調整することができる。
【００３２】
さらに、第１ベルト部材４２が伸縮性を有することで、袋部４１の全長にわたって均一なギャザーを寄せることができる。これにより、アジャスタ機構４０の一部が衣服１０の外側に大きく膨らむことがなく、アジャスタ機構４０が周囲の物品に引っ掛かって裾部１３が捲れることを防止できる。
【００３３】
また、移動環４５には、第２ベルト部材４３が挿通されており、移動環４５は第２ベルト部材４３に沿って移動する。そのため、移動環４５を円滑に移動させることができて、ウエスト周りの調整を容易に行うことができる。また、移動環４５と第１ベルト部材４２とが擦れることがないので、第１ベルト部材４２の摩擦劣化を防止することができる。
【００３４】
そして、第１ベルト部材４２は、第２ベルト部材４３の折り返し長さを長くして裾部１３にギャザーを寄せ、ウエスト周りの寸法を短くしたときに引っ張られ、伸長する。しかしながら、図４及び図６に示すように、第１ベルト部材４２は、伸縮長さに拘らず袋部４１から露出しない長さに設定されている。このため、アジャスタ機構４０によって、ウエスト周りの寸法を最小長さまで縮めた場合であっても、第１ベルト部材４２が露出せず、第１ベルト部材４２が着用者や袋部４１の開口部４１ａの周縁と接触することはない。これにより、第１ベルト部材４２の摩擦劣化を抑制することができる。また、見栄えの向上を図ることができる。
【００３５】
さらに、実施例１の衣服１０では、アジャスタ機構４０の袋部４１が、背面部３０の身幅方向中心に向いた一端に開口部４１ａを有しており、開口部４１ａは着用者の背中側に向いている。これにより、衣服１０を着用者が着用した際、固定環４４や移動環４５を着用者の後側に配置させることができる。そのため、前面部２０の下部が膨れることがなく、前方から衣服１０を見たときの美観を損ねることを抑制できる。
【００３６】
以上、本考案の衣服１０を実施例１に基づいて説明してきたが、具体的な構成については、実施例１に限られるものではなく、各請求項に係る考案の要旨を逸脱しない限り、設計の変更や追加等は許容される。
【００３７】
実施例１の衣服１０では、一対のアジャスタ機構４０を背面部３０の身幅方向の中心位置を挟む位置に設け、着用者の脇腹に対向させると共に、袋部４１の開口部４１ａが背面部３０の身幅方向中心に向いた例を示した。しかしながら、これに限らない。アジャスタ機構４０は、裾部１３の内側であれば任意の位置に設けることができるし、開口部４１ａの向きも前後どちらを向いていてもよい。また、アジャスタ機構４０の数も任意に設定することができる。
【００３８】
特に、アジャスタ機構４０を、前面部２０の左前身頃２１及び右前身頃２２の下部に設けたり、袋部４１の開口部４１ａを前面部２０の身幅方向中央（線ファスナー２３）に向けて設置（開口部４１ａを着用者の腹側に向けて配置）した場合では、衣服１０を着用したときに、移動環４５を着用者の前側に位置させることができる。この場合では、衣服１０を着用したまま移動環４５を移動させやすく、ウエスト周りの寸法調整を容易に行うことができる。
【００３９】
また、実施例１では、衣服１０が、着用者が上半身に着る上衣である例を示したが、これに限らない。衣服１０は、下衣であってもよいし、ツナギ服であってもよい。
【符号の説明】
【００４０】
１０    衣服
１３    裾部
２０    前面部
３０    背面部
４０    アジャスタ機構
４１    袋部
４１ａ  開口部
４２    第１ベルト部材
４２ａ  一端部
４２ｂ  他端部
４３    第２ベルト部材
４３ａ  一方の端部
４３ｂ  他方の端部
４４    固定環
４４ａ  固定用挿通孔
４５    移動環
４５ａ  第１挿通孔
４５ｂ  第２挿通孔
４６    固定ベルト部材
【図１】
0003232119.tif 000003
【図２】
0003232119.tif 000004
【図３】
0003232119.tif 000005
【図４】
0003232119.tif 000006
【図５】
0003232119.tif 000007
【図６】
0003232119.tif 000008
【図７】
0003232119.tif 000009